(57)【要約】  電子安定器に接続するためのレトロフィット発光ダイオード（ＬＥＤ）照明デバイスが提示されている。前記ＬＥＤ照明デバイスは、前記ＬＥＤ照明デバイスが光を発する定常状態モードと、前記ＬＥＤ照明デバイスが光を発していない待機モードとを有する。前記レトロフィットＬＥＤ照明デバイスは、前記定常状態モード中に光を発するためのＬＥＤアレイと、前記定常状態モード中に前記電子安定器からＡＣ供給電圧を受け取り、受け取った前記ＡＣ供給電圧に基づいて前記ＬＥＤアレイを駆動するよう構成される交流（ＡＣ）ＬＥＤドライバとを有する。前記レトロフィットＬＥＤ照明デバイスは、前記電子安定器から前記ＡＣ供給電圧を受け取るよう構成されると共に、前記電子安定器に前記照明デバイスの存在を知らせるための循環して前記電子安定器に戻るフィラメント電流、及び前記定常状態モード中に前記光を発するために前記ＬＥＤアレイを駆動するための前記ＡＣ ＬＥＤドライバへのランプ電流をサポートするよう構成されるフィラメント回路も有する。更に、前記レトロフィットＬＥＤ照明デバイスは、前記待機モード中に前記フィラメント電流及び前記ランプ電流のうちの少なくとも一方を遮断することによって前記電子安定器に対して前記ＬＥＤ照明デバイスの欠如のシミュレートをするよう構成されるランプ取り外しシミュレーション回路も有する。ＬＥＤを後付けする対応する方法及びシステムも提示されている。
2020508548.tif 000002
【特許請求の範囲】
【請求項１】
電子安定器に接続するためのレトロフィットＬＥＤ照明デバイスであって、前記ＬＥＤ照明デバイスが、前記ＬＥＤ照明デバイスが光を発する定常状態モードと、前記ＬＥＤ照明デバイスが光を発していない待機モードとを有し、前記レトロフィットＬＥＤ照明デバイスが、
前記定常状態モード中に光を発するためのＬＥＤアレイと、
前記定常状態モード中に前記電子安定器からＡＣ供給電圧を受け取り、受け取った前記ＡＣ供給電圧に基づいて前記ＬＥＤアレイを駆動するよう構成されるＡＣ ＬＥＤドライバと、
前記電子安定器から前記ＡＣ供給電圧を受け取るよう構成されると共に、
前記電子安定器に前記照明デバイスの存在を知らせるための循環して前記電子安定器に戻るフィラメント電流、及び
前記定常状態モード中に前記光を発するために前記ＬＥＤアレイを駆動するための前記ＡＣ ＬＥＤドライバへのランプ電流をサポートするよう構成されるフィラメント回路と、
前記待機モード中に前記フィラメント電流のうちの少なくとも一方を遮断することによって前記電子安定器に対して前記ＬＥＤ照明デバイスの欠如及び／又は故障のシミュレートをするよう構成されるランプ取り外しシミュレーション回路とを有するレトロフィットＬＥＤ照明デバイス。
【請求項２】
前記照明デバイスが補助電源を含み、前記補助電源が、前記定常状態モード中に充電されるよう構成され、前記補助電源が、前記待機モード中に電力を供給するよう構成される請求項１に記載のレトロフィットＬＥＤ照明デバイス。
【請求項３】
前記ランプ取り外しシミュレーション回路が、前記フィラメント電流及びランプ電流を遮断するための３つのスイッチを有する請求項１乃至２のいずれか一項に記載のレトロフィットＬＥＤ照明デバイス。
【請求項４】
前記レトロフィットＬＥＤ照明デバイスが、前記電子安定器に接続するための２つの接続端子を有し、各端子が、２つの接続ピンを有し、前記ランプ取り外しシミュレーション回路が、２つのフィラメント回路を有し、各接続端子が、前記各接続端子の対応する前記２つの接続ピンを互いに接続するために前記２つのフィラメント回路のうちの１つに結合され、前記スイッチが、前記２つのフィラメント回路内に設けられる請求項３に記載のレトロフィットＬＥＤ照明デバイス。
【請求項５】
前記スイッチが、金属酸化膜半導体電界効果トランジスタ、トランジスタ及びリレーのうちのいずれかを含む請求項３乃至４のいずれか一項に記載のレトロフィットＬＥＤ照明デバイス。
【請求項６】
前記照明デバイスが、前記レトロフィットＬＥＤ照明デバイスを前記待機モード又は前記定常状態モードにするための無線コマンドを受信するよう構成される無線受信機を更に有する請求項１乃至５のいずれか一項に記載のレトロフィットＬＥＤ照明デバイス。
【請求項７】
前記ランプ取り外しシミュレーション回路が、更に、前記補助電源内のエネルギ量を測定し、測定された前記エネルギ量が所定の安全しきい値を下回る場合に前記電子安定器に対して前記ＬＥＤ照明デバイスの前記欠如の前記シミュレートをすることを無効にするよう構成される請求項１乃至６のいずれか一項及び請求項２に記載のレトロフィットＬＥＤ照明デバイス。
【請求項８】
前記ＬＥＤ照明デバイスが、前記補助電源から電力を受け取り、前記ＬＥＤアレイを駆動するよう構成される低電圧ＤＣドライバを更に有する請求項１乃至７のいずれか一項及び請求項２に記載のレトロフィットＬＥＤ照明デバイス。
【請求項９】
電子安定器と、
請求項１乃至８のいずれか一項に記載のレトロフィットＬＥＤ照明デバイスとを有する照明システムであって、
前記レトロフィットＬＥＤ照明デバイスが前記電子安定器に接続される照明システム。
【請求項１０】
前記電子安定器が、前記電子安定器から接続された前記レトロフィットＬＥＤ照明デバイスへ流れる電流を測定し、電流が測定されない場合には前記電子安定器自体をオフに切り替えるよう構成される請求項９に記載の照明システム。
【請求項１１】
請求項１乃至８のいずれか一項に記載のレトロフィットＬＥＤ照明デバイスを動作させる方法であって、
前記ＡＣ ＬＥＤドライバによって、前記定常状態モード中に前記電子安定器から前記ＡＣ供給電圧を受け取り、受け取った前記ＡＣ供給電圧に基づいて前記ＬＥＤアレイを駆動するステップと、
前記定常状態モードを前記待機モードに切り替えるステップと、
前記ランプ取り外しシミュレーション回路によって、前記待機モード中に、前記フィラメント電流のうちの少なくとも一方を遮断することによって前記電子安定器に対して前記ＬＥＤ照明デバイスの前記欠如及び／又は故障のシミュレートをするステップとを有する方法。
【請求項１２】
前記定常状態モード中に前記補助電源を充電するステップと、
前記補助電源によって、前記待機モード中に前記レトロフィットＬＥＤ照明デバイスに電力を供給するステップとを更に有する請求項１１及び請求項２に記載のレトロフィットＬＥＤ照明デバイスを動作させる方法。
【請求項１３】
前記無線受信機によって、前記レトロフィットＬＥＤ照明デバイスを前記待機モード又は前記定常状態モードにするための前記無線コマンドを無線で受信するステップを更に有する請求項１１乃至１２のいずれか一項及び請求項６に記載のレトロフィットＬＥＤ照明デバイスを動作させる方法。
【請求項１４】
前記ランプ取り外しシミュレーション回路によって、前記補助電源内の前記エネルギ量を測定するステップと、
前記ランプ取り外しシミュレーション回路によって、測定された前記エネルギ量が前記所定の安全しきい値を下回る場合に前記電子安定器に対して前記ＬＥＤ照明デバイスの前記欠如の前記シミュレートをすることを無効にするステップとを更に有する請求項１１乃至１３のいずれか一項及び請求項７に記載のレトロフィットＬＥＤ照明デバイスを動作させる方法。
【請求項１５】
少なくとも１つのプロセッサにおいて実行されるときに、前記少なくとも１つのプロセッサに、請求項１１乃至１４のいずれか一項に記載の方法を実行させる命令を含む可読記憶媒体を有するコンピュータプログラム。
【発明の詳細な説明】
【技術分野】
【０００１】
本発明は、広くは、照明の分野に関し、より具体的には、レトロフィット発光ダイオード（ＬＥＤ）照明デバイスに関する。本発明は、更に、電子安定器及びＬＥＤ照明デバイスを有する照明システム、並びにレトロフィットＬＥＤ照明デバイスを動作させる方法に関する。
【背景技術】
【０００２】
様々な照明用途のために発光ダイオード（ＬＥＤ）を利用する照明デバイスが開発されている。それらの長い寿命及び高いエネルギ効率のために、今日では、ＬＥＤランプは、従来の蛍光ランプに取って代わるための、即ち、レトロフィット用途のための設計もされている。このような用途のために、レトロフィット照明デバイスは、一般に、後付けされるべき各々のランプ器具のソケットに嵌合するよう適合される。更に、照明デバイスのメンテナンスは一般にユーザによって行われることから、レトロフィットＬＥＤ照明デバイスは、理想的には、取り付け具を再配線する必要なしに、容易に、あらゆるタイプの適切な取り付け具と共に動作可能であるべきである。
【０００３】
特定のタイプのレトロフィットＬＥＤ照明デバイス、即ち、レトロフィットＬＥＤ管は、例えば、US 2015/0198290において開示されている。ここでは、照明デバイスに電力を供給するための安定器を有する照明器具において蛍光照明デバイスに取って代わるためのＬＥＤ照明デバイス構成が開示されている。ＬＥＤ照明デバイス構成は、複数のグループに配設される複数のＬＥＤを含み、ＬＥＤのグループは、少なくとも、第１回路構成と、ＬＥＤのグループのうちの少なくとも一部が第１回路構成とは異なるように回路に接続されるＬＥＤのグループの異なる回路配置を有する第２回路構成とを含む複数の回路構成において接続可能である。
【０００４】
一般に、従来の蛍光灯においては、さもなければ、蛍光灯の電圧ー電流特性における負性微分抵抗アーチファクトのために破壊的なレベルまで上昇し得る蛍光灯を通る電流を制限するために、安定器が使用される。
【０００５】
これらの既知のレトロフィットＬＥＤ照明デバイスにおける不利な点のうちの１つは、依然としてあまりにも多くの不必要な電力が消費されることである。特に、待機モードにおいて、そうである。一般に、待機モードにおいては、レトロフィットＬＥＤ照明デバイス内に存在する電子機器は、依然として、安定器によって給電されるが、照明デバイス内に存在するＬＥＤアレイは全く光を発さない。これにより、電子機器は、照明デバイスが定常状態モードに戻るよう切り替えられることができるように、照明デバイスが、例えば、無線コマンド又は同様のものを受信することを受け入れることができることを確実にする。定常状態モードは、レトロフィットＬＥＤ照明デバイスが実際に光を発している、即ち、レトロフィットＬＥＤ照明デバイスがオンにされているモードである。
【０００６】
WO 2016/022612は、蛍光灯に取って代わるために使用されることができる複数の光色を有する多くの光源を含む固体照明システムを開示している。
【発明の概要】
【発明が解決しようとする課題】
【０００７】
待機モードにおいて消費される電力の総量が減らされるように設計されるレトロフィット発光ダイオード（ＬＥＤ）照明デバイスを実現することは有利であるだろう。待機モードにおける総電力量が減らされるようにレトロフィットＬＥＤ照明デバイスを動作させる方法を実現することも望ましいだろう。
【課題を解決するための手段】
【０００８】
本発明の第１の態様においては、これらの課題のうちの１つ以上によりうまく対処するために、電子安定器に接続するためのレトロフィット発光ダイオード（ＬＥＤ）照明デバイスが提供される。前記ＬＥＤ照明デバイスは、前記ＬＥＤ照明デバイスが光を発する定常状態モードと、前記ＬＥＤ照明デバイスが光を発していない待機モードとを有し、前記レトロフィットＬＥＤ照明デバイスは、
−  前記定常状態モード中に光を発するためのＬＥＤアレイと、
−  前記定常状態モード中に前記電子安定器からＡＣ供給電圧を受け取り、受け取った前記ＡＣ供給電圧に基づいて前記ＬＥＤアレイを駆動するよう構成される交流（ＡＣ）ＬＥＤドライバと、
−  前記電子安定器から前記ＡＣ供給電圧を受け取るよう構成されると共に、
−  前記電子安定器に前記照明デバイスの存在を知らせるために循環して前記電子安定器に戻るフィラメント電流、及び
−  前記定常状態モード中に前記光を発するために前記ＬＥＤアレイを駆動するための前記ＡＣ ＬＥＤドライバへのランプ電流をサポートするよう構成されるフィラメント回路と、
−  前記待機モード中に前記フィラメント電流及び前記ランプ電流のうちの少なくとも一方を遮断することによって前記電子安定器に対して前記ＬＥＤ照明デバイスの欠如及び／又は故障のシミュレートをするよう構成されるランプ取り外しシミュレーション回路とを有する。
【０００９】
前記電子安定器が前記待機モード中にオフに切り替えられる場合には、その待機モード中の総電力量は減らされるというのが、本発明者の洞察であった。一般に、前記電子安定器は約２乃至８ワットを消費し、前記レトロフィットＬＥＤ照明デバイス自体は数百ミリワットを消費する。そのため、本発明者は、前記主電源を切り替えずに前記電子安定器がオフに切り替えられることを確実にする手段を前記レトロフィットＬＥＤ照明デバイス内に設けることはより有益であり得ることを見出した。換言すれば、前記主電源は引き続き有効に動作している。
【００１０】
それを達成するために、前記待機モード中に前記フィラメント電流及び前記ランプ電流のうちの少なくとも一方を遮断することによって前記電子安定器に対して前記ＬＥＤ照明デバイスの欠如を再現するよう構成されるランプ取り外しシミュレーション回路が導入されている。換言すれば、本発明者は、前記フィラメント電流及び前記ランプ電流のうちの少なくとも一方が遮断される場合には、前記電子安定器は、前記電子安定器自体をオフに切り替えるか、又は故障モードに入ることを見出した。前記電子安定器は、前記レトロフィットＬＥＤ照明デバイスによって電流が引き出されていないことを検出し、且つ／又はフィラメント電流が流れていないことを検出し、その情報を使用してレトロフィットＬＥＤ照明デバイスは存在しないと決定し、その後、前記電子安定器自体をオフに切り替える。
【００１１】
前記安定器を再び再始動させるためには、前記フィラメント回路は、オフに切り替えられ、再びオンに切り替えられなければならないことに留意されたい。
【００１２】
本開示によれば、前記電子安定器は、前記ＬＥＤ照明デバイスの欠如及び／又は故障がシミュレートされる場合には、前記電子安定器自体をオフに切り替える。これは、前記安定器が、完全に停止するか、又は故障モードに入ることを意味する。例えば、前記フィラメント電流は流れ続けているが、前記ランプ電流は遮断されている場合には、前記安定器は故障モードに入り得る。その場合、前記安定器は、前記レトロフィットＬＥＤ照明デバイスに何か異常がある、即ち、前記レトロフィットＬＥＤ照明デバイスが正しく動作していないと決定することができ、前記安定器自体を故障モードに切り替えることができる。
【００１３】
本開示の態様のうちの１つは、前記ランプ取り外しシミュレーション回路が、前記ＬＥＤ照明デバイスの欠如及び／又は故障をシミュレーションするよう構成されるというものである。実際のシナリオは、実際には前記電子安定器には前記レトロフィットＬＥＤ照明デバイスが接続されているが、前記ランプ取り外しシミュレーション回路が、前記電子安定器が、あたかも前記レトロフィットＬＥＤ照明デバイスは存在しないかのように、且つ／又はあたかも前記レトロフィットＬＥＤ照明デバイスは壊れているかのように、知覚するように、動作するよう構成されるというものである。
【００１４】
特に、前記電子安定器が、集積回路（ＩＣ）制御式安定器及び自励発振安定器などの高周波（ＨＦ）安定器、又は電磁（ＥＭ）安定器である状況においては、総電力消費はかなり減らされる。
【００１５】
本開示は、従来の蛍光管に取って代わるためのレトロフィットＬＥＤ管であるレトロフィットＬＥＤ照明デバイスにとりわけ適している。
【００１６】
本開示に関しては、フィラメント回路は、互換性、安全性、及び／又は信頼性の理由で設けられる。このようなフィラメント回路は、従来の蛍光管ランプのフィラメントをエミュレートすることによって前記電子安定器と前記レトロフィットＬＥＤ照明デバイスとの間のインターフェースを供給する。
【００１７】
前記レトロフィットＬＥＤ照明デバイスは、前記ＬＥＤ照明デバイスを従来の蛍光照明デバイス又は従来の蛍光管に取って代わる照明デバイスとして使用するために交流（ＡＣ）ＬＥＤドライバを有する。前記ＡＣ ＬＥＤドライバは、その入力においてＡＣ供給電圧を受け取り、前記ＡＣ供給電圧をＤＣ電流に変換し、その出力において前記ＤＣ電流を前記ＬＥＤアレイに供給するよう構成される。
【００１８】
各々が本開示によるレトロフィットＬＥＤ照明デバイスにおいて使用されるのに適している様々なタイプのＡＣ ＬＥＤドライバが存在する。例えば、半波整流整流器は、前記ＡＣ供給電圧の正の部分しか通過させず、前記ＡＣ供給電圧の負の部分を阻止する。これは、一般に、単一のダイオードを使用して達成される。別の例においては、全波整流整流器が、前記ＡＣ供給電圧の全部を、その出力において不変極性のうちの１つに変換する。前記ＡＣ供給電圧の正の部分は通過させられ、前記ＡＣ供給電圧の負の部分は正の部分に変換される。これは、ブリッジ整流器を使用して、又は２つのダイオードをスイッチと組み合わせて使用することによって、達成され得る。
【００１９】
本開示によれば、前記ランプ電流は、前記電子安定器に対する第１物理的接続から、前記ＬＥＤ照明デバイス、例えば、前記ＬＥＤ照明デバイス内に存在する電子機器を介して、前記電子安定器に対する第２物理的接続へ流れる電流である。そのため、前記ランプ電流は、直接ＬＥＤアレイを流れる電流に限定されない。
【００２０】
本開示によれば、前記レトロフィットＬＥＤ照明デバイスは、レトロフィットＬＥＤ管又はレトロフィットＬＥＤフォトルミネッセンスランプのいずれであってもよい。レトロフィットＬＥＤ管は、例えば可視光を生成するために蛍光を使用する低圧水銀蒸気ガス放電ランプである蛍光管に取って代わるＬＥＤ管である。
【００２１】
実施例においては、前記照明デバイスは、補助電源を含み、前記補助電源は、前記定常状態モード中に充電されるよう構成され、前記補助電源は、前記待機モード中に電力を供給するよう構成される。
【００２２】
本開示によれば、前記電子安定器が停止モード又は故障モードになることを確実にするために、前記フィラメント電流及び前記ランプ電流のうちの少なくとも一方が前記ランプ取り外しシミュレーション回路によって遮断される。その場合、前記レトロフィットＬＥＤ照明デバイス内に存在する残りの電子機器は、前記電子安定器によって給電されない。前記電子機器が適切に機能し続けることを確実にするために、本発明者は、その補助電力を供給するための補助電源を導入することは有利であるだろうことを見出した。
【００２３】
前記補助電源は、例えば、大きなコンデンサ、バッテリ、スーパーキャパシタ又は同様のものである。前記補助電源は、定常状態モード中に充電される。これは、前記電子安定器は、光を発するために前記ＬＥＤアレイへの電力を供給しているが、前記補助電源への充電電流も供給していることを意味する。
【００２４】
前記待機モードが始動されたら、前記電子安定器から引き出される電力はカットオフされる。その場合、前記電子機器は、前記補助電源自体によって給電される。これは、前記補助電源はゆっくり放電されることを意味する。上述のように、前記レトロフィットＬＥＤ照明デバイス内に存在する前記電子機器は、一般に、数百ミリワットを消費する。そのため、前記補助電源、例えば、前記バッテリの容量は、前記補助電源が、少なくとも所定の時間、例えば、数分間、数時間、丸１日などの間、前記電子機器に電力を供給することができるように、選択されるべきである。
【００２５】
他の実施例においては、前記ランプ取り外しシミュレーション回路は、前記フィラメント電流及び前記ランプ電流のうちの少なくとも一方を遮断するための３つのスイッチを有する。
【００２６】
前記レトロフィットＬＥＤ照明デバイスは、例えば、前記電子安定器に接続するための２つの接続端子を有し、各端子は、２つの接続ピンを有し、前記ランプ取り外しシミュレーション回路は、２つのフィラメント回路を有し、各接続端子は、前記各接続端子の対応する前記２つの接続ピンを互いに接続するために前記２つのフィラメント回路のうちの１つに結合され、前記スイッチは、前記２つのフィラメント回路内に設けられる。
【００２７】
上述の例の利点は、それが本開示によるランプ取り外しシミュレーション回路を実現する効率的な実施例であるということである。３つのスイッチの導入は、前記レトロフィットＬＥＤ照明デバイスが、前記フィラメント電流及び前記ランプ電流をカットオフする、即ち、遮断することを可能にする。この実施例の詳細な態様は、図を参照して説明される。
【００２８】
別の実施例においては、前記スイッチは、金属酸化膜半導体電界効果トランジスタ（ＭＯＳＦＥＴ）、トランジスタ及びリレーのうちのいずれかを含む。
【００２９】
前記ランプ取り外しシミュレーション回路は、前記スイッチを制御するための制御ユニットを更に有してもよい。前記制御ユニットは、マイクロプロセッサ、マイクロコントローラ、フィールドプログラマブルゲートアレイ（ＦＰＧＡ）、又は同様のものなどの任意のタイプのハードウェアであり得る。前記制御ユニットは、ＡＣ供給電圧、即ち、前記電子安定器によって供給されるＡＣ供給電圧を介して、同じ若しくは別のＡＣ ＬＥＤドライバを介して電力を供給されてもよく、又は例えば、バッテリ、コンデンサ若しくはスーパーキャパシタを含む前記補助電源を使用して電力を供給されてもよい。
【００３０】
別の実施例においては、前記照明デバイスは、
−  前記レトロフィットＬＥＤ照明デバイスを前記待機モード又は前記定常状態モードにするための無線コマンドを受信するよう構成される無線受信機を更に有する。
【００３１】
無線送信されるコマンドは、例えば、標準化された又は専用のシグナリングプロトコルに従って動作される、無線若しくは無線周波数（ＲＦ）信号又は赤外線（ＩＲ）信号のうちのいずれかを含み得る。実際には、本発明での使用のために利用可能な無線伝送技術は、とりわけ、ＺｉｇＢｅｅ（登録商標）、Ｂｌｕｅｔｏｏｔｈ（登録商標）、ＷｉＦｉベースのプロトコル、又は任意のメッシュタイプの無線ネットワークである。
【００３２】
前記無線受信機は、待機モード中、前記補助電源によって給電されてもよく、定常状態モード中、前記電子安定器によって給電されてもよい。
【００３３】
更に別の実施例においては、前記ランプ取り外しシミュレーション回路は、更に、前記補助電源内のエネルギ量を測定し、測定された前記エネルギ量が所定の安全しきい値を下回る場合に前記電子安定器に対して前記ＬＥＤ照明デバイスの前記欠如及び／又は前記故障の前記シミュレートをすることを無効にするよう構成される。
【００３４】
この例の利点は、前記レトロフィットＬＥＤ照明デバイス内の前記電子機器に電力を供給する前記補助電源が使い果たされないことが確実にされることである。換言すれば、前記補助電源に残されているエネルギ量が或る所定の安全しきい値を下回っていることが検出されるときはいつも、前記ランプ取り外しシミュレーション回路は無効にされることが決定される。これは、前記ＬＥＤアレイが自動的に光を発し始めることを意味しない。これは、前記補助電源を再充電するために、前記電子安定器が前記レトロフィットＬＥＤ照明デバイス内の前記補助電源に電力を供給することを意味する。
【００３５】
前記ランプ取り外しシミュレーション回路は、前記補助電源が十分に充電されたら、例えば、前記補助電源に残されているエネルギ量が所定の蓄積しきい値を上回るときはいつも、再び、前記電子安定器に対して前記ＬＥＤ照明デバイスの欠如及び／又は故障をシミュレートすることから始め得る。
【００３６】
更に別の実施例においては、前記ＬＥＤ照明デバイスは、前記補助電源から電力を受け取り、前記ＬＥＤアレイを駆動するよう構成される低電圧直流（ＤＣ）ドライバを更に有する。
【００３７】
第２の態様においては、
電子安定器と、
上記のような例のいずれかによるレトロフィットＬＥＤ照明デバイスとを有する照明システムであって、
前記レトロフィットＬＥＤ照明デバイスが前記電子安定器に接続される照明システムが提供される。
【００３８】
電子安定器は、電子回路を介してランプの内部の電気の流れを調整することができる。時には制御ギアとも呼ばれる前記電子安定器は、一般に、電気回路に流れる電流を、前記電流が、基本的に、ランプが切れる（burn out）のを防止するレベルに保たれるように、制限するよう構成される。
【００３９】
前記レトロフィットＬＥＤ照明デバイスである本発明の第１の態様の実施例に関して開示されているような利点及び定義は、各々、前記照明システムである本発明の第２の態様の実施例にも対応することに留意されたい。
【００４０】
実施例においては、前記電子安定器は、前記電子安定器から接続された前記レトロフィットＬＥＤ照明デバイスへ流れる電流を測定し、電流が測定されない場合には前記電子安定器自体をオフに切り替えるよう構成される。
【００４１】
第３の態様においては、上記のような例のいずれかによるレトロフィットＬＥＤ照明デバイスを動作させる方法であって、
−  前記ＡＣ ＬＥＤドライバによって、前記定常状態モード中に前記電子安定器から前記ＡＣ供給電圧を受け取り、受け取った前記ＡＣ供給電圧に基づいて前記ＬＥＤアレイを駆動するステップと、
−  前記定常状態モードを前記待機モードに切り替えるステップと、
−  前記ランプ取り外しシミュレーション回路によって、前記待機モード中に、前記フィラメント電流及び前記ランプ電流のうちの少なくとも一方を遮断することによって前記電子安定器に対して前記ＬＥＤ照明デバイスの前記欠如及び／又は故障のシミュレートをするステップとを有する方法が提供される。
【００４２】
前記レトロフィットＬＥＤ照明デバイスである本発明の第１の態様、及び前記照明システムである本発明の第２の態様の実施例に関して開示されているような利点及び定義は、各々、前記方法である本発明の第３の態様の実施例にも対応することに留意されたい。
【００４３】
実施例においては、前記方法は、
−  前記定常状態モード中に前記補助電源を充電するステップと、
−  前記補助電源によって、前記待機モード中に前記レトロフィットＬＥＤ照明デバイスに電力を供給するステップとを更に有する。
【００４４】
他の実施例においては、前記方法は、
−  前記無線受信機によって、前記レトロフィットＬＥＤ照明デバイスを前記待機モード又は前記定常状態モードにするための前記無線コマンドを無線で受信するステップを更に有する。
【００４５】
別の実施例においては、前記方法は、
−  前記ランプ取り外しシミュレーション回路によって、前記補助電源内の前記エネルギ量を測定するステップと、
−  前記ランプ取り外しシミュレーション回路によって、測定された前記エネルギ量が前記所定の安全しきい値を下回る場合に前記電子安定器に対して前記ＬＥＤ照明デバイスの前記欠如の前記シミュレートをすることを無効にするステップとを更に有する。
【００４６】
更に別の態様においては、少なくとも１つのプロセッサにおいて実行されるときに、前記少なくとも１つのプロセッサに、上記のような例のいずれかによる方法を実行させる命令を含む可読記憶媒体を有するコンピュータプログラム製品が提供される。
【００４７】
下記の実施例を参照して、本発明のこれら及び他の態様を説明し、明らかにする。
【図面の簡単な説明】
【００４８】
【図１】従来技術において入手可能なレトロフィット発光ダイオード（ＬＥＤ）照明デバイスの概略ブロック線図表示を示す。
【図２】従来技術において入手可能なレトロフィットＬＥＤ照明デバイスの例示的な実施例を示す。
【図３】本開示によるレトロフィットＬＥＤ照明デバイスの概略ブロック線図表示を示す。
【図４】本開示によるレトロフィットＬＥＤ照明デバイスの例示的な実施例を示し、ランプ取り外しシミュレーションのためのスイッチの位置の例を更に示す。
【図５】ランプ取り外しシミュレーションのためのスイッチの別のあり得る配置を備える本開示の例示的な実施例を示す。
【図６】ランプ取り外しシミュレーションのためのスイッチの別のあり得る配置を備える本開示の例示的な実施例を示す。
【図７】ランプ取り外しシミュレーションのためのスイッチの別のあり得る配置を備える本開示の例示的な実施例を示す。
【図８】補助電源がＬＥＤアレイに電力を供給することが可能である本開示の実施例の概略ブロック線図表示を示す。
【図９】ドライバが交流（ＡＣ）電圧と低レベルの直流（ＤＣ）電圧との両方で動作することが可能である本開示の実施例の概略ブロック線図表示を示す。
【発明を実施するための形態】
【００４９】
図面及び図の詳細な説明が提示されている。異なる図における同じ参照符号は、同様の構成要素、又は様々な構成要素の同じ機能を示すことに留意されたい。
【００５０】
図１は、先端技術において知られているレトロフィット発光ダイオード（ＬＥＤ）照明デバイス１０３の概略図を示している。例示的なシステム１００は、レトロフィットＬＥＤ照明デバイス１０３を含み、前記ＬＥＤ照明デバイス１０３は、ＡＣ主電源１０１に接続される電子安定器１０２から電力を受け取るよう構成される。ＡＣ主電源は、電力の家庭内消費者が壁コンセント又は適切な電源コンセントにおいて一般に利用可能な任意の電源であり得る。電子安定器１０２は、通常、蛍光管と共に動作されるよう設計され、前記電子安定器１０２に接続される蛍光管のタイプに特有の出力を供給するよう構成される。安定器は、ＩＣ制御式安定器、自励発振安定器、高周波安定器、又は任意の他のタイプの安定器であり得る。
【００５１】
従来、最も一般的には、電子安定器が、蛍光管と共に使用するために設計される。しかしながら、これらの蛍光灯をよりエネルギ効率の良いＬＥＤ照明デバイスに置き換えることが望ましい。これは、電子安定器を取り替えること、及び追加の配線をすることを必要とする。これは、多くの場合、望ましくない。なぜなら、このようなＬＥＤ照明デバイスの取り付け及びメンテナンスを担当するのは消費者自身であるからである。それ故、再配線及び追加の構成要素の取り付けを避けることは有利であるだろう。付加的な回路をＬＥＤ管自体に組み込むことは、ＬＥＤ照明デバイスに対して同じ電子安定器を使用する方法を提供する。後付けと呼ばれるこの作業は、一般的なものであり、取り付け及び運用コストの大幅な節約につながる。
【００５２】
レトロフィットＬＥＤ照明デバイス１０３は、先端技術の一部であると認められている。レトロフィットＬＥＤ照明デバイス１０３は、蛍光管のフィラメントの存在をシミュレートするためにフィラメントエミュレーション１０４などの様々な構成要素を含む。ピン安全及び始動及び整合回路１１０は、レトロフィットＬＥＤ照明デバイスのロバストな動作を確実にする付加的な安全要素を供給する。ＬＥＤアレイ１１０は、ＡＣ ＬＥＤドライバ１０６、即ち、ＡＣ入力及びＤＣ出力を有するドライバから受け取られる電力レベルに基づいて光を出力する。ＬＥＤドライバの出力は、コントローラ１０７によってＬＥＤドライバに供給される制御信号によって制御される。
【００５３】
コントローラ１０７は、外部ユーザ装置と通信するよう構成される無線通信モジュール又はセンサ１０８からその命令を受信するよう構成される。このようなユーザ装置は、明るさ、色相、色などのようなレトロフィットＬＥＤ照明デバイス１０３の様々なパラメータを制御することが可能である。制御信号が通信モジュール１０８によって受信されるとき、前記通信モジュール１０８はコントローラ１０７に前記信号を送信し、前記コントローラ１０７は、それに応じて、ＬＥＤアレイ１１０が所望の出力を供給するように、ＬＥＤドライバ１０６の適切なパラメータを調節する。
【００５４】
これらの構成要素に加えて、調光可能ドライバ１０６、コントローラ１０７及び無線通信モジュール１０８内の低電圧構成要素に供給するための、レトロフィットＬＥＤ照明デバイス１０３内に存在する低電圧源１０９も存在する。
【００５５】
無線通信モジュール１０８が、ＬＥＤアレイ１１０から出力される光の特性を変更するための命令を受信するとき、システムは、ＬＥＤドライバ１０６のパラメータを変更することによって所望の出力を達成する。ユーザが、光出力がゼロであることを要求する場合、これは、調光可能ドライバ１０６の出力をゼロまで減少させることによって、達成される。システムは、主電源１０１に直接的には影響を及ぼさない。これは、電子安定器１０２が、電力を受け取り続け、前記電力をレトロフィットＬＥＤ照明デバイス１０３に転送することを意味する。本発明者は、この態様は改良され得ることを見出した、即ち、本発明者は、レトロフィットＬＥＤ照明デバイス１０３からの光出力がないときでさえ電子安定器１０２における電力損失を確認した。消費される電力は、通常、約２乃至５ワットである。これは非常に小さいように思われるかもしれないが、ＬＥＤ照明デバイスの耐用年数、一般に、４０，０００乃至５０，０００時間にわたってのこのエネルギ消費は非常に大きくなり得る。
【００５６】
図２は、先端技術の一部であると認められるレトロフィットＬＥＤ照明デバイス１５０の概略図を示している。参照符号１５０は、従来の蛍光管を後付けするための管を示している。前記管は、蛍光管の既存の照明器具に嵌合するための、参照符号１５２及び１５３で示されているような、２組の接続ピンを有する。前記管は、光拡散器の役割も果たすカバー１５１も有する。これらのレトロフィットＬＥＤ照明デバイスは、参照符号１５４及び１５５で示されているように、フィラメント回路も有する。フィラメント回路の機能は、従来の蛍光管の存在をシミュレートする、即ち、再現することである。フィラメント回路を流れるフィラメント電流が電子安定器によって検出されるとき、前記安定器は、ランプの存在を検出することができ、レトロフィットＬＥＤ照明デバイスの残りの部分に電力を供給することができる。
【００５７】
電子安定器において消費されるエネルギの低減の解決策として、本開示による本発明の実施例が図３において提示されている。参照符号２００は、電子安定器１０２におけるエネルギ消費が低減されている照明システムを示している。ここで、主電源１０１及び電子安定器１０２は、図１において記載されている従来技術と比較して変化していない。これは、エネルギ消費の低減という所望の結果を達成するために、レトロフィットＬＥＤ照明デバイス２０１自体しか置き換えられる必要がないことを意味する。
【００５８】
レトロフィットＬＥＤ照明デバイス２０１は、少なくとも２つの機能ブロックの追加又は変更により、従来技術の図１の参照符号１０３のレトロフィットＬＥＤ照明デバイスとは異なり、前記少なくとも２つの機能ブロックは、ランプ取り外しシミュレーション回路２０２、並びに充電器及びバッテリ及び低電圧源２０３である。ランプ取り外しシミュレーション機能は、図１において参照符号１０４で示されている既存のフィラメント回路に組み込まれる。ランプ取り外しシミュレーション回路２０２の機能は、所望の光出力がゼロであるときに、対応するアーマチュアからの前記レトロフィットＬＥＤ照明デバイス２０１の取り外しをシミュレートする、即ち、再現するためのものである。このような取り外しがシミュレートされる場合には、電子安定器１０２は、その出力に接続されている照明デバイスがないことを検出し、それ故、主電源１０１からほぼ全く電力を引き出さない。安定器１０２は、或る実施例においては、それ自体を停止させる。従って、電子安定器１０２における実質的な電力消費はない。ランプ取り外しシミュレーションが達成され得る或るやり方は、図４において示されている実施例によるものである。
【００５９】
図４は、照明デバイスが、管、即ち、レトロフィットＬＥＤ管２５１である、本開示による本発明の例示的な実施例を示している。それは、管に一般的であるように、対応する照明器具への接続を可能にするために、管２５１の両端に、参照符号１５２及び１５３で示されている２組の接続ピンを有する。参照符号１５４及び１５５を有する抵抗器の存在で示されているようなフィラメント回路は、２組の接続ピンの各々に接続される。接続ピンは、（図には示されていない）電子安定器に接続される。電子安定器によって検出される、フィラメントエミュレーション回路１５４、１５５を通って循環するフィラメント電流の存在は、前記器具に照明デバイスが接続されおり、電子安定器は後に照明デバイスに電力を供給することができることを示す。
【００６０】
本発明による例示的な実施例においては、ランプ取り外しシミュレーション回路は、参照符号２５２、２５３、２５４、２５５で示されているように、フィラメント回路内の複数のスイッチから成る。例として、４つのスイッチが提示されているが、より少ない又はより多い数のスイッチによって同じ結果が達成され得ることは当業者には明らかであるだろう。説明を容易にするために、本実施例は４つのスイッチを用いて説明される。スイッチ２５２、２５３、２５４、２５５は、この特定の場合には、通常は閉じているスイッチである。これらのスイッチを幾つかの選択肢に従って実施することは可能であり得る。例えば、それらは、金属酸化膜半導体電界効果トランジスタ（ＭＯＳＦＥＴ）又はトランジスタ又はリレーを使用して実施され得る。このようなスイッチは制御可能であること、即ち、スイッチの位置は、開であろうと閉であろうと、コントローラ１０７によって供給される制御信号によって制御可能であることが望ましい。
【００６１】
通常は閉じているスイッチの使用は、レトロフィットＬＥＤ照明デバイスがもう動作することができないという状況に陥らないことを確実にするので役に立ち得る。例えば、補助電源がエネルギを使い果たしたときはいつも、前記補助電源は、もはや、通常は閉じているスイッチを開くためにエネルギを供給することはできない。結果として、これらのスイッチは閉じることとなる。これは、安定器を再び作動させ、安定器に、レトロフィットＬＥＤ照明デバイスに電力を供給させる。次いで、安定器からの電力は、補助電源の再充電もする。
【００６２】
変形例として、通常は開いているスイッチが最近されてもよい。これにも利点はある。このようなスイッチの利点は、待機モード中にスイッチを開くためにエネルギが供給される必要がないことである。これは、待機モード中に消費されるエネルギの総量が更にもっと減少させる。補助電源のエネルギが使い果たされるリスクはある。換言すれば、補助電源に残されている残りのエネルギが、通常は閉じているスイッチを閉じるのに十分ではないというリスクがある。これは、安定器に、再びレトロフィットＬＥＤ照明デバイスに電力を供給させるために必要とされる。そのリスクを抑制するための複数の解決策が存在する。解決策のうちの１つは、補助電源に残されているエネルギ量を測定し、測定されたエネルギ量が所定の安全しきい値を下回る場合に電子安定器に対してレトロフィットＬＥＤ照明デバイスの欠如及び／又は故障をシミュレートすることを無効にするものである。別の選択肢は、レトロフィットＬＥＤ照明デバイスのハウジングに１つ以上の物理的スイッチを追加するものである。物理的スイッチは、レトロフィットＬＥＤ照明デバイスの欠如及び／又は故障をシミュレートすることを無効にするように組み込まれる。そのため、安定器が再び作動されることを確実にするためにユーザが物理的スイッチを押す必要がある。
【００６３】
例として、無線通信モジュール１０８が、ＬＥＤアレイの光出力をゼロに減少させるための信号を受信する場合、コントローラは、光出力がゼロになるようにＬＥＤドライバ１０６のパラメータを変更する。更に、コントローラはまた、待機モードが開始されなければならないことを示すためにランプ取り外しシミュレーション回路２０２に信号を送信する。
【００６４】
このような待機モードにおいては、制御信号が、スイッチを閉位置から開位置に切り替える。４つのスイッチ２５２、２５３、２５４、２５５の全てがこのようにして開かれるとき、フィラメント電流は２つのフィラメント回路のどちらにも循環しない。また、２つのフィラメント回路自体の間に電流の流れはない。それ故、電子安定器はフィラメント電流を検出せず、ランプ電流も検出せず、それ故、ランプが取り外されている状態がシミュレート／再現される。これは、電子安定器がレトロフィットＬＥＤ照明デバイス２０１に電気入力を供給しないことを意味する。従って、電子安定器１０２において消費される電力は減らされる。
【００６５】
しかしながら、レトロフィットＬＥＤ照明デバイス２０１に供給される電力が全くない。これは、無線通信手段１０８に供給される電力もないことを意味する。これは、照明をオフにするための信号が、外部ユーザ装置を使用して無線で伝達され、ユーザは、同じ手段によって照明をオンに戻すつもりであるのに対して、デバイスは、無線通信モジュール１０８における電力がないため、現在、そうすることができないので、望ましくない。
【００６６】
この障害を克服するために、レトロフィットＬＥＤ照明デバイス２０１内に補助電源２０３が設けられる。この補助電源２０３は、定常状態フェーズ中に電荷を蓄積し、待機モード中に放電することができる。待機モード中、前記補助電源２０３は無線通信モジュール１０８に電力を供給する。これは、レトロフィットＬＥＤ照明デバイス２０１が全体として電子安定器１０２から電力を受け取っていないときでも、無線通信モジュールは外部ユーザ装置から更なる命令を受信することができることを意味する。
【００６７】
補助電源２０３は、第１期間中に電荷を蓄積し、第２期間中に蓄積した前記電荷を放電することができることが知られている任意のデバイスであり得る。一般的な例は、様々な種類のバッテリ、コンデンサ又はスーパーキャパシタを含む。当業者が同じ機能を達成することができることを知っている任意の構成要素を使用することも可能であり得る。
【００６８】
ここで、ランプ取り外しシミュレーション回路２０２内のスイッチ２５２、２５３、２５４、２５５の機能は、フィラメント電流及びランプ電流のうちの少なくとも一方を遮断することであり、スイッチはそうすることを可能にするやり方で位置を変えられてもよいことに留意されたい。当業者は、同じ結果を達成するためにスイッチの位置を変えることができる。利用可能な選択肢のうちの幾つかが、図５、６及び７に示されている。
【００６９】
同じ結果が少なくとも３つのスイッチを使用して得られ得る。第１スイッチは、フィラメント回路１５４内のフィラメント電流を遮断するためのものである。第２スイッチは、フィラメント回路１５５内のフィラメント電流を遮断するためのものである。第３スイッチは、２つのフィラメント電流１５４及び１５５の間を流れるランプ電流を遮断するためのものである。それによって、ランプ取り外しエミュレーションが少なくとも３つのスイッチを使用することによって実施され得ることは明らかである。信頼性及びロバスト性を改善するために、より多くの数のスイッチが使用されてもよいが、それはまた、コントローラによって送信される必要がある制御信号の数を増加させ、従って、複雑さを増加させる。
【００７０】
ランプの取り外しが、存在する４つのスイッチのうちのいずれか３つを開くことによって、うまくシミュレートされ、再現され得る場合があり得る。例として、スイッチ２５２、２５３及び２５４、又はスイッチ２５２、２５４及び２５５を開くことによって、２つのフィラメント電流をうまく遮断することができ、ランプ電流もうまく遮断することができ、それによって、本発明の目的を達成することができる。図５は、ランプ取り外しシミュレーションのためのスイッチ２５２、２５３、２５４、２５５の別のあり得る配置を備える本発明の例示的な実施例３５０を示している。前述のように、所望の結果を達成するために、４つのスイッチ２５２、２５３、２５４、２５５のうちの任意の３つのスイッチがオフに切り替えられる。好ましくは、ランプ電流を遮断するためにはスイッチ２５３がオフに切り替えられ、フィラメント電流を遮断するためにはスイッチ２５２、２５４、２５５のうちの任意の２つのスイッチがオフに切り替えられる。前述のように、システムをよりロバストにするために４つのスイッチ全てがオフにされることも可能である。
【００７１】
安定器のリセットは、例えば、参照符号２５２、２５４及び２５５で示されているようなスイッチを切り替えることによって達成され得る。これは、故障モード、待機モード又は同様のもののいずれかから、安定器を再び始動させる。
【００７２】
図６は、ランプ取り外しシミュレーションのためのスイッチ２５２、２５３、２５４、２５５の別のあり得る配置を備える本発明の例示的な実施例４５０を示している。この実施例によれば、スイッチ２５３及び２５４は、ランプ電流を遮断することができ、スイッチ２５２、２５５はフィラメント電流を遮断することができる。この実施例によれば、本発明の目的を達成するために、フィラメント電流を遮断するためにスイッチ２５２及び２５５がオフに切り替えられる。更に、ランプ電流を遮断するためにスイッチ２５３及び２５４のいずれか一方又は両方がオフにされる必要がある。
【００７３】
図７は、ランプ取り外しシミュレーションのためのスイッチ２５２、５５２及び２５５の別のあり得る配置を備える本発明の例示的な実施例５５０を示している。この実施例によれば、スイッチのうちの、ピン安全回路内に存在する１つ５５２が、ランプ取り外しエミュレーションのためにも利用される。ピン安全回路は、レトロフィットＬＥＤ照明デバイスがユーザにとって危険な状況を引き起こさないことを確実にするために存在するスイッチを含む。ランプ取り外しエミュレーションのためにもこれらのスイッチを利用することは、本発明の目的を達成するために必要とされる外部スイッチの数を減らすという利点を有する。
【００７４】
この実施例によれば、レトロフィットＬＥＤ照明デバイスが待機モードに入らなければならない場合には、まず、スイッチ５５２がオフにされ、続いてスイッチ２５２及び２５５がオフにされる。同様に、待機モードから定常状態モードに戻るためには、まず、スイッチ２５２及び２５５がオンにされ、続いてスイッチ５５２がオンにされる。
【００７５】
図８は、電荷蓄積デバイスがＬＥＤアレイ１１０に電力を供給することができる本発明の実施例３００の概略ブロック線図表示を示している。前述のように、同様の参照符号は同様の特徴及び機能を示しており、これらについてはこれ以上述べない。参照符号３０１は、レトロフィットＬＥＤ照明デバイスを示している。この実施例は、図３の実施例２００と比較すると、低電圧ＤＣ調光可能ドライバ３０２を更に含む。
【００７６】
照明装置において消費される総電力は可能な限り低いことが望ましい。ＬＥＤドライバの目的は、補助電源２０３から入力電力を受け取ることによってＬＥＤアレイ１１０の動作を容易にすることである。このような実形例においては、定常状態モードの一部の間、電荷蓄積デバイス２０３は電荷を蓄積し、ＬＥＤアレイ１１０はＬＥＤドライバ１０６から入力電力を受け取る。補助電源２０３が完全に充電されたことがモニタされるとき、ランプ取り外しシミュレーションモジュール２０２によってランプ取り外しエミュレーションが実施され得る。これは、電子安定器１０２がＬＥＤドライバ１０６に電力を供給しないことを意味する。
【００７７】
このような状況においては、ユーザがランプをオフにすることを要求していないときには、ランプは電荷蓄積デバイス２０３によって給電され続ける。電荷蓄積デバイス２０３は、低電圧ＤＣ調光可能ドライバ３０２に電力を供給する。低電圧ＤＣ調光可能ドライバ３０２は、低電圧ＤＣ電圧を受け取り、ＬＥＤアレイ３０２に電力を供給するよう構成される。このような動作中に、ランプをオフに切り替える要求が受信される場合、コントローラは、低電圧ＤＣ調光可能ドライバ３０２に電力を供給することを停止するよう電荷蓄積デバイス２０３に指示し得る。
【００７８】
このような構成の利点は、電子安定器が、ＬＥＤ照明デバイスがオンである全期間にわたっては、ＬＥＤ照明デバイスに電力を供給しないことである。それによって、安定器１０２がＬＥＤ照明デバイスに電力を供給しない期間中のエネルギが節約される。前述のように、ＬＥＤ照明デバイスの耐用年数にわたって、これはかなりのエネルギの節約をもたらし得る。
【００７９】
図９は、本発明の実施例２００の概略ブロック線図表示を示している。前述のように、同様の参照符号は同様の特徴及び機能を示しており、これらについてはこれ以上述べない。参照符号４０１は、本発明によるレトロフィットＬＥＤ照明デバイスを示している。この実施例によれば、図８の実施例３００による２つのドライバ１０６及び３０２が、単一のドライバ４０２に統合されている。これは、空間必要量を大幅に減少させ、製品の総コストにも影響を与える。
【００８０】
ＬＥＤドライバ４０２は、電荷蓄積デバイス２０３、即ち、補助電源を収容することができる。待機モード中、又は電荷蓄積デバイス２０３、即ち、補助電源が完全に充電されるとき、ランプ取り外しシミュレーション手段２０２は電子安定器１０２を切り離し、関連する構成要素は電荷蓄積デバイス２０３のみによって給電される。
【００８１】
当業者は、請求項に記載の発明を実施する際に、図面、明細及び添付の請求項の研究から、開示されている実施例に対する他の変形を、理解し、達成し得る。請求項において、「有する」という用語は、他の要素又はステップを除外せず、単数形表記は、複数の存在を除外しない。請求項において列挙されている幾つかの要素の機能を、単一のプロセッサ又は他のユニットが果たしてもよい。単に、特定の手段が、互いに異なる従属請求項において挙げられているという事実は、これらの手段の組み合わせが有利になるように用いられることができないことを示すものではない。コンピュータプログラムは、他のハードウェアと一緒に又は他のハードウェアの一部として供給される光学式記憶媒体又は固体媒体のような適切な媒体上に記憶／分散されてもよいが、インターネット又は他の有線若しくは無線電気通信システムを介するような他の形態で分散されてもよい。請求項における如何なる参照符号も、請求項の範囲を限定するものとして解釈されてはならない。
【図１】
2020508548.tif 000003
【図２】
2020508548.tif 000004
【図３】
2020508548.tif 000005
【図４】
2020508548.tif 000006
【図５】
2020508548.tif 000007
【図６】
2020508548.tif 000008
【図７】
2020508548.tif 000009
【図８】
2020508548.tif 000010
【図９】
2020508548.tif 000011
【手続補正書】
【提出日】令和1年8月20日(2019.8.20)
【手続補正１】
【補正対象書類名】特許請求の範囲
【補正対象項目名】全文
【補正方法】変更
【補正の内容】
【特許請求の範囲】
【請求項１】
電子安定器に接続するためのレトロフィットＬＥＤ照明デバイスであって、前記ＬＥＤ照明デバイスが、前記ＬＥＤ照明デバイスが光を発する定常状態モードと、前記ＬＥＤ照明デバイスが光を発していない待機モードとを有し、前記レトロフィットＬＥＤ照明デバイスが、
前記定常状態モード中に光を発するためのＬＥＤアレイと、
前記定常状態モード中に前記電子安定器からＡＣ供給電圧を受け取り、受け取った前記ＡＣ供給電圧に基づいて前記ＬＥＤアレイを駆動するよう構成されるＡＣ ＬＥＤドライバと、
前記電子安定器から前記ＡＣ供給電圧を受け取るよう構成されると共に、
前記電子安定器に前記照明デバイスの存在を知らせるための循環して前記電子安定器に戻るフィラメント電流、及び
前記定常状態モード中に前記光を発するために前記ＬＥＤアレイを駆動するための前記ＡＣ ＬＥＤドライバへのランプ電流をサポートするよう構成されるフィラメント回路と、
前記待機モード中に前記フィラメント電流を遮断することによって前記電子安定器に対して前記ＬＥＤ照明デバイスの欠如及び／又は故障のシミュレートをするよう構成されるランプ取り外しシミュレーション回路とを有するレトロフィットＬＥＤ照明デバイス。
【請求項２】
前記照明デバイスが補助電源を含み、前記補助電源が、前記定常状態モード中に充電されるよう構成され、前記補助電源が、前記待機モード中に電力を供給するよう構成される請求項１に記載のレトロフィットＬＥＤ照明デバイス。
【請求項３】
前記ランプ取り外しシミュレーション回路が、前記フィラメント電流及びランプ電流を遮断するための３つのスイッチを有する請求項１乃至２のいずれか一項に記載のレトロフィットＬＥＤ照明デバイス。
【請求項４】
前記レトロフィットＬＥＤ照明デバイスが、前記電子安定器に接続するための２つの接続端子を有し、各端子が、２つの接続ピンを有し、前記ランプ取り外しシミュレーション回路が、２つのフィラメント回路を有し、各接続端子が、前記各接続端子の対応する前記２つの接続ピンを互いに接続するために前記２つのフィラメント回路のうちの１つに結合され、前記スイッチが、前記２つのフィラメント回路内に設けられる請求項３に記載のレトロフィットＬＥＤ照明デバイス。
【請求項５】
前記スイッチが、金属酸化膜半導体電界効果トランジスタ、トランジスタ及びリレーのうちのいずれかを含む請求項３乃至４のいずれか一項に記載のレトロフィットＬＥＤ照明デバイス。
【請求項６】
前記照明デバイスが、前記レトロフィットＬＥＤ照明デバイスを前記待機モード又は前記定常状態モードにするための無線コマンドを受信するよう構成される無線受信機を更に有する請求項１乃至５のいずれか一項に記載のレトロフィットＬＥＤ照明デバイス。
【請求項７】
前記ランプ取り外しシミュレーション回路が、更に、前記補助電源内のエネルギ量を測定し、測定された前記エネルギ量が所定の安全しきい値を下回る場合に前記電子安定器に対して前記ＬＥＤ照明デバイスの前記欠如の前記シミュレートをすることを無効にするよう構成される請求項１乃至６のいずれか一項及び請求項２に記載のレトロフィットＬＥＤ照明デバイス。
【請求項８】
前記ＬＥＤ照明デバイスが、前記補助電源から電力を受け取り、前記ＬＥＤアレイを駆動するよう構成される低電圧ＤＣドライバを更に有する請求項１乃至７のいずれか一項及び請求項２に記載のレトロフィットＬＥＤ照明デバイス。
【請求項９】
電子安定器と、
請求項１乃至８のいずれか一項に記載のレトロフィットＬＥＤ照明デバイスとを有する照明システムであって、
前記レトロフィットＬＥＤ照明デバイスが前記電子安定器に接続される照明システム。
【請求項１０】
前記電子安定器が、前記電子安定器から接続された前記レトロフィットＬＥＤ照明デバイスへ流れる電流を測定し、電流が測定されない場合には前記電子安定器自体をオフに切り替えるよう構成される請求項９に記載の照明システム。
【請求項１１】
請求項１乃至８のいずれか一項に記載のレトロフィットＬＥＤ照明デバイスを動作させる方法であって、
前記ＡＣ ＬＥＤドライバによって、前記定常状態モード中に前記電子安定器から前記ＡＣ供給電圧を受け取り、受け取った前記ＡＣ供給電圧に基づいて前記ＬＥＤアレイを駆動するステップと、
前記定常状態モードを前記待機モードに切り替えるステップと、
前記ランプ取り外しシミュレーション回路によって、前記待機モード中に、前記フィラメント電流を遮断することによって前記電子安定器に対して前記ＬＥＤ照明デバイスの前記欠如及び／又は故障のシミュレートをするステップとを有する方法。
【請求項１２】
前記定常状態モード中に前記補助電源を充電するステップと、
前記補助電源によって、前記待機モード中に前記レトロフィットＬＥＤ照明デバイスに電力を供給するステップとを更に有する請求項１１及び請求項２に記載のレトロフィットＬＥＤ照明デバイスを動作させる方法。
【請求項１３】
前記無線受信機によって、前記レトロフィットＬＥＤ照明デバイスを前記待機モード又は前記定常状態モードにするための前記無線コマンドを無線で受信するステップを更に有する請求項１１乃至１２のいずれか一項及び請求項６に記載のレトロフィットＬＥＤ照明デバイスを動作させる方法。
【請求項１４】
前記ランプ取り外しシミュレーション回路によって、前記補助電源内の前記エネルギ量を測定するステップと、
前記ランプ取り外しシミュレーション回路によって、測定された前記エネルギ量が前記所定の安全しきい値を下回る場合に前記電子安定器に対して前記ＬＥＤ照明デバイスの前記欠如の前記シミュレートをすることを無効にするステップとを更に有する請求項１１乃至１３のいずれか一項及び請求項７に記載のレトロフィットＬＥＤ照明デバイスを動作させる方法。
【請求項１５】
少なくとも１つのプロセッサにおいて実行されるときに、前記少なくとも１つのプロセッサに、請求項１１乃至１４のいずれか一項に記載の方法を実行させる命令を含む可読記憶媒体を有するコンピュータプログラム。
【国際調査報告】
2020508548.tif 000012
2020508548.tif 000013